(57)【要約】少なくとも片方の長辺側に雪層を横方向に切り込むための歯（３）またはコルゲーションがある、少なくとも１個の半剛性材料のプレート（２）を含み、かつ、該プレート（２）の少なくとも１つの側に配置された切り込み動作用のハンドルを有する、好ましくは傾斜のある家屋の屋根から雪を取り除くための除雪器具（１）。【選択図】図１
2013538956.tif 000002
【特許請求の範囲】
【請求項１】
少なくとも片方の長辺側に雪層を横方向に切り込むための歯（３）またはコルゲーションがあることで特徴付けられる少なくとも１個の半剛性材料のプレート（２）を含み、かつ、プレート（２）の少なくとも１つの側に配置された切り込み動作用のハンドルを有する、好ましくは傾斜のある家屋の屋根から雪を取り除くための除雪器具（１）。
【請求項２】
少なくとも１個のプレート（２）の少なくとも片方の長辺側、好ましくは両方の長辺側にハンドル（４）を含むことによって特徴付けられる、請求項１に記載の除雪器具。
【請求項３】
少なくとも１個のプレート（２）の短辺側にハンドル（５）を含むことにより特徴付けられる、請求項１または２に記載の除雪器具。
【請求項４】
ハンドル（４、５）がプレート（２）における穴部として構成されることで特徴付けられる、従前の請求項のいずれか１項に記載の除雪器具。
【請求項５】
短辺側のハンドル（５）がハンドル（５）の上端部中に補強部（６）とともに形成されることで特徴付けられる、請求項３および４に記載の除雪器具。
【請求項６】
短辺側のハンドル（５）が命綱（７）用の取り付け具とともに形成されることで特徴付けられる、従前の請求項のいずれか１項に記載の除雪器具。
【請求項７】
取り付け具が補強部（６）中に配置されることで特徴付けられる、請求項６に記載の除雪器具。
【請求項８】
蝶番で連結される数個の、有利には３個のプレート（２、８、９）を含むことによって特徴付けられる、従前の請求項のいずれか１項に記載の除雪器具。
【請求項９】
中間プレートまたは複数の中間プレート（８）が保管または輸送のために除雪器具１を簡便に折り畳むために外部プレート（２、９）より長いことで特徴付けられる、請求項８に記載の除雪器具。
【請求項１０】
短辺側にハンドル（５）を形成する１個の外部プレート（２）が、曲げられた位置から屋根表面と平行な位置まで雪層中でのこぎりを使うような動作に入ることができるように柔軟であることで特徴付けられる、従前の請求項のいずれか１項に記載の除雪器具。
【請求項１１】
プレートまたは複数のプレート（２、８、９）が平滑側面（１２）を有し、それにより雪層中で簡便にのこぎりを使うように動かし、かつ、のこぎりを使うように動かすことによって緩んだ雪層の一部が側面（１２）を滑り落ちることができるようになることで特徴付けられる、従前の請求項のいずれか１項に記載の除雪器具。
【請求項１２】
ハンドル（５）とともに構成される短辺側の反対側にある除雪器具の下端部（１０）に、雪層の緩んだ部分に対して、滑落または傾斜を拡張する取り付け可能な巻き上げ式のプラスチックシートを備えることで特徴付けられる、請求項１１に記載の除雪器具。
【発明の詳細な説明】
【技術分野】
【０００１】
本発明は、除雪器具に関し、より具体的には、請求項１の前文に開示されているとおりの除雪器具に関する。
【背景技術】
【０００２】
先行技術の一例として、フィンランド国特許第８７４３７１号明細書、米国特許第５９４３７９６号明細書および米国特許第５５７０５２４号明細書を言及してもよく、これらのすべての明細書には異なる種類の除雪器具が記載されている。
【先行技術文献】
【特許文献】
【０００３】
【特許文献１】フィンランド国特許第８７４３７１号明細書
【特許文献２】米国特許第５９４３７９６号明細書
【特許文献３】米国特許第５５７０５２４号明細書
【発明の概要】
【発明が解決しようとする課題】
【０００４】
本発明は、請求項１の特徴的な条項に開示されているとおりの除雪器具による、より効率的な除雪をもたらすことにある。
【課題を解決するための手段】
【０００５】
本発明の有利な実施態様は従属請求項で説明される。
【図面の簡単な説明】
【０００６】
【図１】図１は本発明に係る除雪器具１を示す。
【発明を実施するための形態】
【０００７】
本発明に係る除雪器具の有利な非限定的な実施態様の詳細な記載は、下記において、および添付の図１を参照して提供される。
【０００８】
図１は、半剛性材料の３枚のプレート２、８、９を含む、本発明に係る除雪器具１を表わし、該プレート２、８、９の長辺側には（例証されていない）雪層を横方向に切断するための歯３またはコルゲーションがある。該プレートは、示されているとおりに、中間プレート８の各短辺端における蝶番１１によって互いに連結される。さらに、図１は除雪器具１の使用者を示し、該使用者は可能性のある使用位置において除雪器具１を持ち上げている。
【０００９】
ハンドル４は、有利には、プレート２、８、９の両方の長辺側に配置される。さらに、ハンドル５は、有利には、外部プレート２の短辺側に配置され、そして、示されているとおりに、ハンドル４、５は、有利には、プレート２、８、９の穴部または割れ目部として構成される。
【００１０】
除雪器具の短辺側および長辺側の両方にハンドル４、５を形成することによって、一方の者が除雪器具１の短辺側のハンドル５を（図１に示されているとおりに）使用し、そして他方の者が除雪器具１の長辺側の２つのハンドル４を使用することで、２者が雪の切断に一緒に取り組むことを可能にする。除雪器具１を雪層中でのこぎりを使うように動かしている時、除雪器具１の長辺側に沿って雪層中に鋤を挿入することにより除雪器具の頂上にある雪層の一部を緩めることができることは有利である。
【００１１】
短辺側のハンドル５は、有利には、ハンドル５の上端において補強部６とともに形成され、短辺側のハンドル５は、有利には、命綱７に対する留め具とともに形成され、かつ、該留め具は、有利には、補強部６において配置される。
【００１２】
中間プレート８は、保管または輸送のために除雪器具１を容易に折り畳むために、外部プレート２、９よりわずかに長いことが有利である。
【００１３】
ハンドル５を短辺側に形成する少なくとも１つの外部プレート２は、曲げられた位置から屋根表面と平行な位置まで雪層中でのこぎりを使うような動作に入ることができるように、柔軟であることが有利である。
【００１４】
プレート２、８、９は、有利には、平滑な側面１２があり、雪層中を簡便にのこぎりを使うように動かし、そして、のこぎりを使うように動かすことにより緩んだ雪層の一部が側面１２を滑り落ちることができるようになる。
【００１５】
ハンドル５とともに構成された短辺側の反対側にある除雪器具１の下端部には、有利には、雪層の緩んだ部分に対して、好ましくは屋根を越えて、滑落または傾斜を拡張する取り付け可能な巻き上げ式のプラスチックシート（例証されていない）が備え付けられ、その結果、雪層が緩んだ後、雪が屋根から落ちる。
【００１６】
例証されている実施態様では、３枚の蝶番間のプレート２、８、９が使用されているが、異なる数のプレートを有する除雪器具１もまたあり得るが、最小のものは単一のプレート２である。柔軟性材料の１つのプレートは、有利には例証されている実施態様のものと等しい長さを有しており、その材料のために、例証されている蝶番がある実施態様と同一の方法で平坦に折り畳むことがほとんどできないであろうが、同一の柔軟性材料の特性に起因して筒状に巻き上げることができる可能性が高いであろう。
【００１７】
有利な実施態様では、少なくとも１つのプレート２は適当なプラスチック材料で作られるが、代わりに薄板または金属薄板、あるいは他の適当な平滑な表面を有する柔軟性材料で作られてもよい。
【００１８】
本発明は上記の実施態様に限定されると見なされるべきではなく、添付の請求項の範囲内で変更があってもよい。
【符号の説明】
【００１９】
１  除雪器具
２  プレート
３  歯
４  長辺側のハンドル
５  短辺側のハンドル
６  補強部
７  命綱
８  中間プレート
９  外部プレート
１０  下端部
１１  蝶番
１２  側面
【図１】
2013538956.tif 000003
【国際調査報告】
2013538956.tif 000004
2013538956.tif 000005